(57)【要約】【課題】繰り返し使用後のテープであっても、整った巻取り姿で巻き取る。【解決手段】ハブ１０Ａの上下に上フランジ２０Ａ、下フランジ３０Ｂを設け、上フランジ２０Ａ、下フランジ３０Ａの少なくとも一方の内面に、上フランジ２０Ａ又は下フランジ３０Ａの内周から外周に向かって伸びるリブ３１Ａを形成する。そして、このリブの中心線ＣＬは、上フランジ２０Ａ又は下フランジ３０Ａの半径方向と交差する直線又は曲線であるように構成する。【選択図】      図１
2004241020.tif 000002
【特許請求の範囲】
【請求項１】
テープが巻回される巻心と、
前記巻心の一端に設けられた第１フランジと、
前記巻心の他端に設けられた第２フランジと、
前記第１フランジ又は前記第２フランジの少なくとも一方の内面に設けられ、前記第１又は第２フランジの内周から外周に向かって伸びるリブとを有するテープリールであって、
前記リブの中心線は、前記第１又は第２フランジの半径方向と交差する直線又は曲線であることを特徴とするテープリール。
【請求項２】
前記リブの中心線は、前記第１又は第２フランジの内周から外周に行くにつれテープリールの巻取回転方向と同じ方向にずれていることを特徴とする請求項１に記載のテープリール。
【請求項３】
前記リブの中心線は、前記第１又は第２フランジの内周から外周に行くにつれテープリールの巻取回転方向と逆の方向にずれていることを特徴とする請求項１に記載のテープリール。
【請求項４】
前記リブの中心線は、前記第１又は第２フランジの半径方向に対し、１０度から９０度の角度で交差していることを特徴とする請求項１から請求項３のいずれか１項に記載のテープリール。
【発明の詳細な説明】
【０００１】
【発明の属する技術分野】
本発明は、テープリールに関し、詳しくは、巻取り姿を向上できるテープリールに関する。
【０００２】
【従来の技術】
磁気テープ等の信号記録用テープ、その他のテープは、円筒状の巻心の上下に円板状のフランジを有するテープリールに巻回されて取り扱われる。ここで、上下のフランジは、テープリールにテープを巻き取る際のガイドとして機能しており、一般には、テープは、上下のいずれかのフランジの内面に接した状態で巻き取られ、これによりテープは整った巻取り姿となる。
【０００３】
近年、テープの巻取り姿は、磁気テープなどの信号記録用テープの場合には、特に重要視されてきている。これは、商品としての外観もさることながら、信号記録トラックの狭小化により、テープドライブのヘッドと、テープ上のトラックの位置合わせに精密さが要求されているからである。つまり、テープの巻取り姿の乱れは、テープリールからのテープ繰り出し時にテープ幅方向の振れを生み出し、この振れにより、トラックの位置合わせに影響を与えるため、巻取り姿が重要とされている。
そこで、テープの巻取り姿を改善するため、従来から、種々の技術が考案されている。
【０００４】
その一つとして、フランジの内面（テープが巻き取られる側の面）に放射状に複数の溝（排出路）を設けたものがある（例えば、特許文献１参照）。巻取り姿の乱れの原因としては、テープに同伴する空気が、既に巻き取られたテープとの間に挟まれることにより、積層されるテープ間に空気が残り、後にこの空気が抜ける際に巻乱れが生じることがあげられる。特許文献１の技術では、この現象を考慮して、巻き取られるテープに同伴する空気を、前記溝（排出路）を通して逃がしやすくしている。
同様の構造のテープリールは、例えば、特許文献２，３にも開示されている。
そして、このような溝を有するフランジにすると、新品時のテープは非常に整った巻取り姿となることが確認されている。
【０００５】
【特許文献１】
特開２０００−３０４０１号公報（第１頁参照）
【特許文献２】
特開２００１−２７３７３７号公報（図１参照）
【特許文献３】
登録実用新案第３００９９４７号公報（図４参照）
【０００６】
【発明が解決しようとする課題】
しかし、本出願の発明者の詳細な研究によれば、繰り返し使用した後のテープを巻き取る場合、前記した従来技術のテープリールでは、巻乱れ等が生じ得ることが明らかになった。具体的には、テープが緩く巻かれて、この巻かれたテープが後に滑って内周側のテープにシワがよる場合や、巻き取ったテープ巻き玉のエッジ端面を見たときに、放射状に模様が出るような巻乱れが生じる場合があった。
【０００７】
そして、この現象を詳細に検討した結果、次のような巻乱れの原因が考えられた。
従来技術のテープリールでは、フランジの内面に放射状に溝が形成されている結果、相対的に高く残った部分が、放射状のリブを形成している。そして、このリブは、その中心線が直線で、巻心の中心（フランジの中心）に向かうように配置される。ここで、フランジの内面には、複数の溝が形成されているため、リブも複数形成されていることになるが、フランジの製造には面振れ等の多少の誤差が生じるため、リブの高さにも多少の誤差が生じ、結果として、最も高い一つのリブが、実際にテープを案内する部分となる。
【０００８】
一方、テープは、新品時には、整ったエッジをしており、このエッジが前記した最も高いリブに案内されることで、テープが幅方向に規制されて整った巻取り姿となる。しかし、テープを繰り返し使用すると、テープのエッジに微小な折れ曲がりや、めくれが生じ、テープのエッジ部分において、数ミクロンからサブミクロンだけ厚さが増す現象が起こる。
【０００９】
そして、エッジ部分の厚さが増したテープを巻き取ると、テープは厚い部分、すなわちエッジの部分で重なりあって、その他のテープ中央付近などでは、逆に隙間が生じることになる。この結果、テープが緩く巻かれ、前記したシワの原因になると考えられた。
【００１０】
また、前記したように、フランジの内面において、実際にテープを案内するリブは一つの高いリブだけであるため、テープのエッジの厚い部分がきれいに重なるのは、この高いリブの付近だけである。すると、他の部分では適度にテープが幅方向にずれることでテープ間に隙間ができないのに対し、高いリブの付近だけがテープ間に隙間を生じることになる。これが、前記した放射状の巻取り姿の模様の原因になると考えられた。
【００１１】
以上のような背景に鑑み、本発明がなされたもので、本発明は、繰り返し使用後のテープであっても、整った巻取り姿とすることができるテープリールを提供することを目的とする。
【００１２】
【課題を解決するための手段】
前記した課題を解決するため、本発明では、テープが巻回される巻心と、前記巻心の一端に設けられた第１フランジと、前記巻心の他端に設けられた第２フランジと、前記第１フランジ又は前記第２フランジの少なくとも一方の内面に設けられ、前記第１又は第２フランジの内周から外周に向かって伸びるリブとを有するテープリールであって、前記リブの中心線は、前記第１又は第２フランジの半径方向と交差する直線又は曲線となっていることを特徴とする。
【００１３】
このようなテープリールの巻心にテープを巻き取るときには、テープのエッジが、第１又は第２フランジの内側に形成されたリブに案内される。リブが複数形成されている場合には、リブが形成されたフランジの振れや、リブの形成精度などに応じ、リブの高さが微妙に異なるが、最も高いリブにテープのエッジが案内される。なお、ここでの高いリブとは、リブの段差が大きい意味ではなく、頂点が最も磁気テープ側に寄っているリブのことをいう。
繰り返し使用してエッジの厚さが厚くなったテープを巻き取る場合には、リブに案内されたテープは、そのリブの付近で厚いエッジ部分が重なる。しかし、リブは、リブの中心線がフランジの半径方向と交差する直線又は曲線となるように形成されているので、厚いエッジ部分が重なる部分も、テープが巻かれるに従い、テープリールの円周方向へずれていく。その結果、厚いエッジ部分が重なったとしても、その影響が小さいうちに重なり部分が円周方向へ移動するので、テープの巻きが緩くなることがない。また、放射状の模様も現れない。
【００１４】
また、前記したテープリールにおいては、前記リブの中心線は、前記第１又は第２フランジの内周から外周に行くにつれテープリールの巻取回転方向と同じ方向にずれていることを特徴とする。
【００１５】
このような方向にリブを形成すると、テープの巻取り時は、まず、リブの外周端の部分がテープのエッジに当たり、その後テープのエッジとリブの接触位置が徐々に内周側へ移動してくる。従って、リブがテープを徐々に案内するので、テープエッジのダメージを小さくすることができる。
【００１６】
また、前記したテープリールとは逆に、前記リブの中心線は、前記第１又は第２フランジの内周から外周に行くにつれテープリールの巻取回転方向と逆の方向にずらすこともできる。
【００１７】
このような方向にリブを形成すると、巻き取られるテープと既に巻き取られたテープの間に挟まる空気（同伴空気）が排出される流れの方向と、リブの方向がおよそ同じ方向になるので、同伴空気を積極的に排出することができる。
さらに、前記したテープリールにおいては、前記リブの中心線は、前記第１又は第２フランジの半径方向に対し、１０度から９０度の角度で交差していることを特徴とする。
【００１８】
前記したように、本発明は、テープを巻き取っていくにつれ、厚いエッジ部分の重なりが円周方向へ移動することを利用しているので、リブの中心線が半径方向に対しある程度以上の角度交差するように形成されていないと効果が無い。具体的には、１０度以上、望ましくは２０度以上の角度を有していることが望ましい。一方、半径方向とリブの中心線のなす角は９０度以下であればよい。
【００１９】
【発明の実施の形態】
次に、適宜図面を参照しながら、本発明の実施の形態について説明する。
参照する図において、図１（ａ）は、本発明の実施形態に係るテープリールの斜視図であり、（ｂ）は、（ａ）のテープリールの横断面図である。本実施形態においては、磁気テープカートリッジに使用されるテープリールを想定して説明する。図１に示すように、テープリール１Ａ，１Ｂは、磁気テープＭＴが巻回され、これらがカートリッジケースＣに収納されている。
【００２０】
テープリール１Ａは、円筒状のハブ（巻心）１０Ａと、このハブ１０Ａの上端（一端）にハブ１０Ａの回転軸と垂直に設けられた上フランジ（第１フランジ）２０Ａと、ハブ１０Ａの下端（他端）にハブ１０Ａの回転軸と垂直に設けられた下フランジ３０Ａとから構成されている。
【００２１】
下フランジ３０Ａは、およそ円板状の形状をしている。そして、磁気テープＭＴが巻回される側である内側の面には、図１（ｂ）に示すように、ハブ１０Ａと連結する位置（内周）から外周に向かって４本のリブ３１Ａが伸びている。４本のリブ３１Ａは、円周方向に等間隔で、すなわち９０度おきに同じ向きで配置されている。
リブ３１Ａは、一定の幅ＷＡで内周から外周に向かって伸びている。この幅ＷＡは、通常２ｍｍ以上、１０ｍｍ以下に設定するのが望ましい。幅ＷＡを２ｍｍ以下にすると、磁気テープＭＴのエッジに与える力が集中して、テープを痛める可能性があり、１０ｍｍ以上にすると、後記する凹部３３Ａ（排出路）が小さくなって、磁気テープＭＴに随伴する空気の排出機能が低下するからである。
また、各リブ３１Ａは、その中心線ＣＬの方向、より正確には中心線ＣＬの接線方向が、下フランジ３０Ａの半径方向に対し交差している。
中心線ＣＬは、下フランジ３０Ａの半径方向に対し、リブ３１Ａとハブ１０Ａが接続する点ではθ１の角度で交差し、下フランジ３０Ａの外周の縁ではθ２の角度で交差している。この角度θ１や角度θ２は、１０度から９０度の範囲で設定するのが望ましい。また、リブ３１Ａとハブ１０Ａが接続する点での半径方向を基準線ＢＬとしたとき、この基準線ＢＬと、外周の縁における中心線ＣＬの方向とは、角度θ１′をなしている。中心線ＣＬは、下フランジ３０Ａの内周から外周に行くにつれ、基準線ＢＬとなす角が徐々に大きくなるような曲線をなしている。したがって、角度θ１′は、角度θ１よりも大きい。
また、図１（ｂ）において、左側のテープリール１Ａは巻取り時に左回り（矢印ＲＡ方向）に回転し、中心線ＣＬは、下フランジ３０Ａの内周から外周に行くにつれてテープリール１Ａの巻取回転方向と逆の方向（矢印ＲＡと逆の方向）にずれている。言い換えれば、巻取り時にリブ３１Ａの外周部分は、内周部分に比べて遅れて回るような位置関係になっている。
【００２２】
さらに、下フランジ３０Ａは、強度を確保して不要な振動を防止するため、その外周の縁に沿って外周リブ３２Ａが設けられている。そして、各リブ３１Ａと、外周リブ３２Ａにより囲まれた部分は、リブ３１Ａ、外周リブ３２Ａよりも相対的に低くなって凹部３３Ａとなっている。凹部３３Ａは、テープリール１Ａに磁気テープＭＴが巻き取られるときに、磁気テープＭＴに随伴してきた空気が排出される排出路として機能する。
【００２３】
上フランジ２０Ａは、およそ円板状に形成されており、リブ及び凹部は形成されていない。もちろん、下フランジ３０Ａと対称に形成してもよい。つまり、リブ内側（テープが巻回される側）に形成し、また、リブを上フランジ２０Ａの内周から外周に行くにつれてテープリール１Ａの巻取回転方向と逆の方向にずれるように構成してもよい。
【００２４】
テープリール１Ｂは、テープリール１Ａとほぼ同様に構成されており、図１（ａ）に示すように、円筒状のハブ１０Ｂと、このハブ１０Ｂの上端（一端）にハブ１０Ｂの回転軸と垂直に設けられた上フランジ（第１フランジ）２０Ｂと、ハブ１０Ｂの下端（他端）にハブ１０Ｂの回転軸と垂直に設けられた下フランジ３０Ｂとから構成されている。
【００２５】
そして、下フランジ３０Ｂが有するリブ３１Ｂが、図１（ｂ）において、リブ３１Ａとは逆の向き、すなわち下フランジ３０Ｂの回転中心に関し対称になっている以外は、テープリール１Ｂは、テープリール１Ａと同様に構成されている。また、下フランジ３０Ｂは、リブ３１Ｂに加え、外周リブ３２Ｂ及び凹部３３Ｂを有している。なお、リブ３１Ｂがリブ３１Ａと逆の向きになっているのはテープリール１Ｂの巻取回転方向がテープリール１Ａとは逆で右回り（矢印ＲＢ方向）だからである。
なお、リブ３１Ａ，３１Ｂの本数は、任意であり、１本でも複数本でも構わない。
【００２６】
磁気テープＭＴは、通常テープリール１Ａに、図１（ｂ）において右巻き（内周から外周にかけて右回り）に巻き取られている。この磁気テープＭＴがテープリール１Ａから繰り出されて、カートリッジケースＣ内の図示しないテープガイドに案内されつつ走行する。そして、磁気テープＭＴが磁気テープドライブ内の磁気ヘッドと摺動してデータが記録・再生され、さらにテープリール１Ｂに左巻き（テープリール１Ｂは右回り）に巻き取られる。そして、磁気テープＭＴを巻き戻すときには、テープリール１Ｂから磁気テープＭＴを繰り出して、テープリール１Ａで磁気テープＭＴを巻き取る。
【００２７】
次に、このように構成されたテープリール１Ａ，１Ｂの作用について説明する。なお、テープリール１Ａ，１Ｂの作用は同じであるので、ここではテープリール１Ａを代表して説明する。参照する図において、図２（ａ）は、本実施形態に係るテープリールで磁気テープを巻き取った状態を示した縦断面図であり、（ｂ）は、本発明との比較のために図示した従来例のテープリールで磁気テープを巻き取った状態を示した縦断面図である。
【００２８】
図２（ｂ）に示すように、従来のようにフランジの内面に放射状の直線状のリブを有するテープリール１００を使用して磁気テープＭＴを巻き取った場合には、複数あるリブのうち、最も高い（磁気テープＭＴ側に寄った）リブ１３１が、磁気テープＭＴのエッジＥを案内する。従って、磁気テープＭＴは、そのエッジＥがリブ１３１に接した状態で重なって巻き取られる。ところで、磁気テープＭＴを繰り返し使用した後には、磁気テープＭＴのエッジＥが次第に痛み、ベーステープの折れ曲がりや磁性層のめくれなどにより、その厚さが厚くなる。ここでは、その部分を総称してめくれ部Ｅ′と呼ぶ。
めくれ部Ｅ′が発生した磁気テープＭＴは、テープリール１００に巻き取られると、リブ１３１にエッジＥが案内される結果、めくれ部Ｅ′の部分が重なって巻き取られる。めくれ部Ｅ′が重なると、徐々にテープ幅方向の片側だけ直径が大きく巻き取られ、磁気テープＭＴがハブ１１０の表面に対して斜めになっていく。この斜めに巻始められた状態では、傾斜は極めて僅かなので、磁気テープＭＴを、そのリブ１３１側を伸ばしながら巻くことで、巻き取った磁気テープＭＴ間に隙間が開くことはない。しかし、巻き取られた磁気テープＭＴの外径の傾斜が大きくなると、磁気テープＭＴの伸びにも限度があるため、磁気テープＭＴを伸ばしながら巻いて隙間を埋めることはできなくなる。そのため、ある回数以上巻き取られると、磁気テープＭＴは、既に巻かれた磁気テープＭＴとはめくれ部Ｅ′の部分だけで重なり、その他の部分では、隙間があいたまま巻き重ねられることになる。そのため、磁気テープＭＴは緩く巻かれ、また、このリブ１３１の付近のみの直径が大きくなることで、磁気テープＭＴの巻取り姿に放射状の模様が現れる。
【００２９】
これに対し、本実施形態のテープリール１Ａでは、図１（ｂ）に示すように、リブ３１Ａが、内周から外周に行くにつれ円周方向にずれているため、リブ３１Ａが磁気テープＭＴを案内する位置も円周方向に徐々にずれていく。
そのため、図２（ａ）に示すように、リブ３１ＡがエッジＥを案内して、エッジＥがリブ３１Ａに接する形で磁気テープＭＴが巻き重ねられていっても、めくれ部Ｅ′が重なることにより磁気テープＭＴが斜めに巻き取られる影響が大きくならないうちにその縦断面においてはリブ３１Ａがなくなる。そして、リブ３１Ａがなくなると、適度に磁気テープＭＴが幅方向にずれながら巻き重ねられることで、めくれ部Ｅ′が磁気テープ幅方向の同じ位置で重なることがなく、磁気テープＭＴ間に不要な隙間ができない。
図３に、図２（ａ）に対し、少し位相のずれたテープリール１Ａの縦断面を示す。図３に示すように、リブ３１Ａが内周と外周の途中に位置している断面でも、リブ３１Ａより内周側では、磁気テープＭＴが斜めになることなく巻き取られ、リブ３１Ａの付近では、磁気テープＭＴが斜めになろうとするが、その斜めになる影響が小さいうちにリブ３１Ａがなくなるので、リブ３１Ａの外周側においても、磁気テープＭＴ間に隙間があくことなく巻き取られる。
従って、磁気テープＭＴが緩く巻かれたり、磁気テープＭＴの巻取り姿に放射状の模様が現れたりすることがない。
なお、このようにある縦断面でリブが無くなった位置において、磁気テープＭＴが幅方向に振れたとしても、リブ３１Ａがあるところ（下フランジ３１Ａの円周方向にずれた位置）では、磁気テープＭＴがリブ３１Ａに案内されているため、磁気テープＭＴが大きく振れることはなく、巻取り姿は整う。
【００３０】
また、図１（ｂ）に示すように、テープリール１Ａで磁気テープＭＴを巻き取るときには、磁気テープＭＴに随伴してきた空気が、排出方向ＶＡの方向に抜けていく。このとき、本実施形態のテープリール１Ａでは、リブ３１Ａの中心線がテープリール１Ａの内周から外周に掛けて巻取回転方向と逆の方向にずれているので、凹部３３Ａにより形成される空気の排出路と、随伴空気の排出方向ＶＡと同じ方向となる。従って、磁気テープＭＴに随伴する空気の排出を促進し、従来に比較してより高速度で磁気テープを巻き取ることが可能となる。
【００３１】
以上、本発明の実施の形態について説明したが、本発明は前記した実施形態には限定されず、適宜変更して実施することが可能である。例えば、図４に示すように、下フランジ３０Ｃの内周から外周に行くにつれ、リブ３１Ｃを、巻取回転方向と同じ方向にずらして構成することもできる。このようなテープリール１Ｃでは、実際に磁気テープＭＴを案内する最も高いリブ３１ｃに注目して見た場合、磁気テープＭＴはテープリール１Ｃに巻き取られるときに、まずリブ３１ｃの外周に接することにより、磁気テープＭＴのエッジが案内される。そして、徐々にリブ３１ｃの内周部分と接して磁気テープＭＴの幅方向に案内される。ここで、一般にテープリールのフランジは内周から外周に掛けて、上フランジと下フランジが徐々に離れるような傾斜を有している。従って、図４のテープリール１Ｃでは、磁気テープＭＴがリブ３１ｃにより徐々に幅方向に規制されるので、磁気テープＭＴのエッジのダメージが少なくて済む。
また、図４に示すように、本発明は、単一のテープリール１ＣがカートリッジケースＣ′に収納された、１リールタイプの磁気テープカートリッジに適用することもできる。
【００３２】
また、図５に示すテープリール１Ｄのように、下フランジ３０Ｄに形成したリブ３１Ｄの中心線ＣＬ′が直線状になっていても良い。さらに、テープリールは、カートリッジケースに収納されている必要はない。また、図示はしないが、リブの中心線がフランジの半径方向と交差している限り、中心線が波線状や、ジグザグ状のリブとすることもできる。
【００３３】
【発明の効果】
以上詳述した通り、本発明のテープリールによれば、繰り返し使用後のテープであっても、整った巻取り姿でテープを巻き取ることができる。
【図面の簡単な説明】
【図１】（ａ）は、実施形態に係るテープリールの一部破断斜視図であり、（ｂ）は、（ａ）のテープリールの横断面図である。
【図２】本発明の作用を説明する図であり、（ａ）が実施形態に係るテープリールの場合、（ｂ）が従来例の場合を示す。
【図３】実施形態に係るテープリールの、図２（ａ）と少しずれた位相における縦断面
図である。
【図４】本発明の第１の変形例を示すテープリールの横断面図である。
【図５】本発明の第２の変形例を示すテープリールの横断面図である。
【符号の説明】
１Ａ，１Ｂ  テープリール
１０Ａ，１０Ｂ  ハブ
２０Ａ，２０Ｂ  上フランジ
３０Ａ，３０Ｂ  下フランジ
３１Ａ，３１Ｂ  リブ
ＣＬ    中心線
ＲＡ，ＲＢ  巻取回転方向
【図１】
2004241020.tif 000003
【図２】
2004241020.tif 000004
【図３】
2004241020.tif 000005
【図４】
2004241020.tif 000006
【図５】
2004241020.tif 000007